(57)【要約】【課題】特に、定期的に一定の路線を走行する路線バスの運行に必要な各種のバス運行情報を管理するのに最適な車両運行情報管理システムの提供。【解決手段】車両運行情報管理システムＳは、路線バス１と携帯通信端末２とバス運行管理センタ３とバス停留所ＢＳ１〜ＢＳｎとを具備する。管理者が路線バス１の運行に必要な各種のバス運行情報をバス運行管理センタ３のＰＣ３０に設定し、設定した各種のバス運行情報をバス運行管理センタ３のＤＢ３１により管理する。路線バス１に搭載した携帯通信端末２が受信した各種のバス運行情報をＤＢ２０Ａに登録し、各種のバス運行情報を路線バス１に搭載した携帯通信端末２に自動的に初期設定できる。【選択図】        図１
2004164304.tif 000002
【特許請求の範囲】
【請求項１】
路線を運行し、自車を特定するバスＩＤを設定された路線バスと、路線バスに搭載された携帯通信端末と、路線バスの運行を管理するバス運行管理センタと、路線バスのバス運行ルートに沿った所定位置の路側上に設置され、バス停ＩＤを設定された複数のバス停留所とを具備し、路線バスに搭載された携帯通信端末とバス運行管理センタのパソコンとを通信回線を介して各種の情報を送受信するように接続し、路線バスの運行に必要な各種のバス運行情報をバス運行管理センタで管理する車両運行情報管理システムであって、
バス運行管理センタのパソコンは、路線バスの運行に必要な各種のバス運行情報を設定する機能と、設定した各種のバス運行情報をデータベースに登録する機能と、登録した各種のバス運行情報を路線バスに搭載した携帯通信端末に送出する機能とを備え、路線バスに搭載した携帯通信端末は、バス運行管理センタのパソコンから送出された各種のバス運行情報を受信する機能と、受信した各種のバス運行情報をデータベースに登録する機能と、登録した各種のバス運行情報を出力装置に出力する機能と、バス停留所を検出する機能とを備えたことを特徴とする車両運行情報管理システム。
【請求項２】
路線バスの運行に必要な各種のバス運行情報は、運行ルート名，運行時刻表，バス停留所毎の運賃表示，案内放送，バス行き先表示などの情報を有している請求項１に記載の車両運行情報管理システム。
【請求項３】
バス運行管理センタのパソコンは、路線バス毎にバスＩＤを割付ける機能と、割付けた路線バスを特定するバスＩＤをデータベースに登録する機能と、路線バスのバスＩＤを路線バスに搭載した携帯通信端末に送出する機能とを備えている請求項１に記載の車両運行情報管理システム。
【請求項４】
バス運行管理センタのパソコンは、路線バスに搭載した携帯通信端末から路線バスの運行に必要な各種のバス運行情報の送出の要求が有る場合に、路線バスのバスＩＤを認識する機能と、認識した路線バスのバスＩＤを基に該当する各種のバス運行情報をデータベースより読み出す機能と、読み出した各種のバス運行情報を要求する路線バスに搭載した携帯通信端末に送出する機能とを備えている請求項１乃至３のいずれかに記載の車両運行情報管理システム。
【請求項５】
路線バスに搭載した携帯通信端末は、自車を特定するバスＩＤを任意の契機にバス運行管理センタのパソコンに送出する機能を備えている請求項１に記載の車両運行情報管理システム。
【請求項６】
路線バスに搭載した携帯通信端末は、バス運行管理センタのパソコンから送出された各種のバス運行情報を基に運行ルート名，運行時刻表，バス停留所毎の運賃表示，案内放送，バス行き先表示などの情報を出力装置に出力する機能を備えている請求項１に記載の車両運行情報管理システム。
【請求項７】
路線バスに搭載した携帯通信端末は、路線バスのエンジンの始動を検出する機能と、路線バスのエンジン始動時の契機に、自車を特定するバスＩＤをバス運行管理センタのパソコンに送出する機能とを備えている請求項１または５に記載の車両運行情報管理システム。
【請求項８】
路線バスに搭載した携帯通信端末は、路線バスの初期設定スイッチの押下を検出する機能と、路線バスの初期設定スイッチの押下時の契機に、自車を特定するバスＩＤをバス運行管理センタのパソコンに送出する機能を備えている請求項１または５に記載の車両運行情報管理システム。
【請求項９】
路線バスに搭載した携帯通信端末は、路線バスがバス停留所を通過した時に、バス停留所を特定するバス停ＩＤ，自車を特定するバスＩＤ，バス停通過時刻をバス運行管理センタのパソコンに送出する機能を備えている請求項１に記載の車両運行情報管理システム。
【請求項１０】
路線バスに搭載した携帯通信端末は、バス停留所における路線バスの乗降客を検出する機能と、検出した各バス停留所毎の路線バスの乗降客数をカウントし、カウントした各バス停留所毎の路線バスの乗降客数をデータベースに蓄積する機能とを備えている請求項１に記載の車両運行情報管理システム。
【請求項１１】
路線バスに搭載した携帯通信端末は、バス停留所を検出した場合に、路線バスの運行に必要な各種のバス運行情報のバス停留所毎の運賃表示，案内放送，バス行き先表示を変更する機能と、変更したバス停留所毎の運賃表示，案内放送，バス行き先表示を出力装置に出力する機能とを備えている請求項１に記載の車両運行情報管理システム。
【請求項１２】
路線バスに搭載した携帯通信端末は、所定のバス運行ルートに沿って走行する路線バスの次のバス停留所までの所要時間を算出する機能と、算出した路線バスの次のバス停留所までの所要時間を出力装置に出力する機能とを備えている請求項１に記載の車両運行情報管理システム。
【請求項１３】
複数のバス停留所は、バス停留所を識別する電子タグを微弱電波で送信する機能を備えている請求項１に記載の車両運行情報管理システム。
【請求項１４】
路線バスに搭載した携帯通信端末は、バス停留所から送信される電子タグ情報を読み取った時に、バス停留所を検出する機能を備えている請求項１または１２に記載の車両運行情報管理システム。
【発明の詳細な説明】
【０００１】
【発明の属する技術分野】
本発明は、特に、定期的に一定の路線を走行して予め決められた運賃で乗客を輸送する路線バスの運行に必要な各種のバス運行情報を管理するのに最適な車両運行情報管理システムに関するものである。
【０００２】
【従来の技術】
定期的に一定の路線を走行する路線バスの運行は、道路の交通状況によって大きく左右され、特に、車両の交通量の多い都市部においては、バス専用通行車線やバス優先通行車線があるにもかかわらず、バス専用通行車線やバス優先通行車線に違法駐車をするものも多く、交通渋滞を招く原因にもなっており、これに加えて道路工事や交通事故などによる交通規制が重り、終日慢性的に交通渋滞している場合も多い。
【０００３】
このため、定期的に運行している路線バスも道路の交通渋滞に大きく左右され、路線バスがバス運行時刻表どおりにバス停留所に到着することが困難で、路線バスのバス停留所への到着時刻が所定のバス運行時刻よりも大幅に遅れることもよくある。
【０００４】
近年、路線バスとその最寄りのバス停留所との間の微弱な電波による至近距離無線交信により、路線バスの現在位置を検出して、バス停留所に、その路線バスが到着する予測時刻等を行き先別にバス停留所の表示装置に表示するバス停連動システムが提案されている。
【０００５】
従来、走行している現在の位置情報と、バス路線を特定するバス路線ＩＤ番号や自車を特定するバスＩＤ番号等のＩＤ情報とを含んだバス位置情報を送信する路線バスと、バージョン番号を含んだバス路線情報と、以前に作成したバージョン番号を含んだバス運行情報を保有し、路線バスから送信されたバス位置情報に基づき、バージョン番号を更新したバス運行情報を作成し、保有しているバス路線情報や作成したバス運行情報を送信する管理センタと、管理センタから送信されたバス路線情報やバス運行情報をデータ放送フォーマットに変換し、本放送とデータ放送を多重して配信する放送局と、放送局から配信された本放送とデータ放送を受信して多重分離し、分離されたバス路線情報、バス運行情報と、外部より指定された利用する停留所に基づき、利用する停留所と路線バスの走行位置を、分離された本放送に重ねて表示する受信機とを備えたバス運行状況確認システムが特開２００１−２８３３８５号公報に開示されている。
【０００６】
また、路線バス搭載のＧＰＳ装置によりＧＰＳ衛星からの航法電波を受信してこのバスの現在位置を検出するＧＰＳシステムと、路線バス搭載の無線機と最寄りのバス停留所設置の無線機とにより交信してこのバスの現在位置を検出するバス停連動システムと、路線バス搭載のセンサーにより道路に埋設された情報マーカーを検出してこのバスの現在位置を検出する情報マーカーシステムと、各システムの２種以上のシステムの併用により路線バスの現在位置を検出して最寄りのバス停留所の表示装置に表示させるバス位置検出表示手段とを具備した路線バス運行管理システムが特開２００１−１０１５８８号公報に開示されている。
【０００７】
【発明が解決しようとする課題】
ところが、特開２００１−２８３３８５号公報に開示されたバス運行状況確認システムは、大勢の利用者が確実に、しかも安価にバス運行情報を入手できるようにしたものであり、路線バスを運転する運転手が路線バスの運行に必要な各種のバス運行情報を初期設定しなければならず、運転手の路線バスの運行に必要な各種のバス運行情報を初期設定する労力が多大となり、路線バスの運行に必要な各種のバス運行情報の設定ミスが発生するおそれがあった。
【０００８】
また、特開２００１−１０１５８８号公報に開示された路線バス運行管理システムは、ＧＰＳシステム、バス停連動システム、情報マーカーシステムのいずれか２種以上のシステムの併用によりバス位置を検出し、これらのシステムのうちの１つのシステムによるバス位置検出精度よりもバス位置検出精度の向上を図ることができるようにしたものであり、路線バスを運転する運転手が路線バスの運行に必要な各種のバス運行情報を初期設定しなければならず、運転手の路線バスの運行に必要な各種のバス運行情報を初期設定する労力が多大となり、路線バスの運行に必要な各種のバス運行情報の設定ミスが発生するおそれがあった。
【０００９】
本発明の目的は、上述する問題点に対処して、管理者が路線バスの運行に必要な各種のバス運行情報をバス運行管理センタのパソコンに設定するのみで、設定した各種のバス運行情報をバス運行管理センタのデータベースにより管理し、各種のバス運行情報をバス運行管理センタのパソコンから通信回線を経由して路線バスに搭載した携帯通信端末に確実に伝送し、携帯通信端末を路線バスに搭載するのみで、路線バスの運行に必要な各種のバス運行情報をバス運行管理センタのパソコンから自動的に入手し、路線バスの運行に必要な各種のバス運行情報を路線バスに搭載した携帯通信端末に自動的に初期設定し、路線バスを運転する運転手が自ら各種のバス運行情報の初期設定を路線バスに搭載した携帯通信端末に対して行う必要が全くなく、運転手の労力を軽減し、各種のバス運行情報の路線バスに搭載した携帯通信端末に対する設定ミスを防止し、路線バスの運転手が携帯通信端末を自由に携帯して持ち運べ、携帯通信端末を運行中以外の全ての路線バスに常時搭載させておく必要がなく、経費の削減を図れ、路線バスに搭載した携帯通信端末の出力装置から出力される各種のバス運行情報の内容を路線バスの乗客に対して報知し、路線バスがバス停留所を特定するバス停ＩＤを自動的に取得することが可能な車両運行情報管理システムを提供することにある。
【００１０】
【課題を解決するための手段】
上記目的を達成するために、本発明の車両運行情報管理システムは、路線を運行し、自車を特定するバスＩＤを設定された路線バスと、路線バスに搭載された携帯通信端末と、路線バスの運行を管理するバス運行管理センタと、路線バスのバス運行ルートに沿った所定位置の路側上に設置され、バス停ＩＤを設定された複数のバス停留所とを具備し、路線バスに搭載された携帯通信端末とバス運行管理センタのパソコンとを通信回線を介して各種の情報を送受信するように接続し、路線バスの運行に必要な各種のバス運行情報をバス運行管理センタで管理する車両運行情報管理システムであって、バス運行管理センタのパソコンが、路線バスの運行に必要な各種のバス運行情報を設定する機能と、設定した各種のバス運行情報をデータベースに登録する機能と、登録した各種のバス運行情報を路線バスに搭載した携帯通信端末に送出する機能とを備え、路線バスに搭載した携帯通信端末が、バス運行管理センタのパソコンから送出された各種のバス運行情報を受信する機能と、受信した各種のバス運行情報をデータベースに登録する機能と、登録した各種のバス運行情報を出力装置に出力する機能と、バス停留所を検出する機能とを備えたことを特徴とする構成を有するものである。
【００１１】
本発明の車両運行情報管理システムは、路線バスの運行に必要な各種のバス運行情報が、運行ルート名，運行時刻表，バス停留所毎の運賃表示，案内放送，バス行き先表示などの情報を有している。
【００１２】
本発明の車両運行情報管理システムは、バス運行管理センタのパソコンが、路線バス毎にバスＩＤを割付ける機能と、割付けた路線バスを特定するバスＩＤをデータベースに登録する機能と、路線バスのバスＩＤを路線バスに搭載した携帯通信端末に送出する機能とを備えている。
【００１３】
本発明の車両運行情報管理システムは、バス運行管理センタのパソコンが、路線バスに搭載した携帯通信端末から路線バスの運行に必要な各種のバス運行情報の送出の要求が有る場合に、路線バスのバスＩＤを認識する機能と、認識した路線バスのバスＩＤを基に該当する各種のバス運行情報をデータベースより読み出す機能と、読み出した各種のバス運行情報を要求する路線バスに搭載した携帯通信端末に送出する機能とを備えている。
【００１４】
本発明の車両運行情報管理システムは、路線バスに搭載した携帯通信端末が、自車を特定するバスＩＤを任意の契機にバス運行管理センタのパソコンに送出する機能を備えている。
【００１５】
本発明の車両運行情報管理システムは、路線バスに搭載した携帯通信端末が、バス運行管理センタのパソコンから送出された各種のバス運行情報を基に運行ルート名，運行時刻表，バス停留所毎の運賃表示，案内放送，バス行き先表示などの情報を出力装置に出力する機能を備えている。
【００１６】
本発明の車両運行情報管理システムは、路線バスに搭載した携帯通信端末が、路線バスのエンジンの始動を検出する機能と、路線バスのエンジン始動時の契機に、自車を特定するバスＩＤをバス運行管理センタのパソコンに送出する機能とを備えている。
【００１７】
本発明の車両運行情報管理システムは、路線バスに搭載した携帯通信端末が、路線バスの初期設定スイッチの押下を検出する機能と、路線バスの初期設定スイッチの押下時の契機に、自車を特定するバスＩＤをバス運行管理センタのパソコンに送出する機能を備えている。
【００１８】
本発明の車両運行情報管理システムは、路線バスに搭載した携帯通信端末が、路線バスがバス停留所を通過した時に、バス停留所を特定するバス停ＩＤ，自車を特定するバスＩＤ，バス停通過時刻をバス運行管理センタのパソコンに送出する機能を備えている。
【００１９】
本発明の車両運行情報管理システムは、路線バスに搭載した携帯通信端末が、バス停留所における路線バスの乗降客を検出する機能と、検出した各バス停留所毎の路線バスの乗降客数をカウントし、カウントした各バス停留所毎の路線バスの乗降客数をデータベースに蓄積する機能とを備えている。
【００２０】
本発明の車両運行情報管理システムは、路線バスに搭載した携帯通信端末が、バス停留所を検出した場合に、路線バスの運行に必要な各種のバス運行情報のバス停留所毎の運賃表示，案内放送，バス行き先表示を変更する機能と、変更したバス停留所毎の運賃表示，案内放送，バス行き先表示を出力装置に出力する機能とを備えている。
【００２１】
本発明の車両運行情報管理システムは、路線バスに搭載した携帯通信端末が、所定のバス運行ルートに沿って走行する路線バスの次のバス停留所までの所要時間を算出する機能と、算出した路線バスの次のバス停留所までの所要時間を出力装置に出力する機能とを備えている。
【００２２】
本発明の車両運行情報管理システムは、複数のバス停留所が、バス停留所を識別する電子タグを微弱電波で送信する機能を備えている。
【００２３】
本発明の車両運行情報管理システムは、路線バスに搭載した携帯通信端末が、バス停留所から送信される電子タグ情報を読み取った時に、バス停留所を検出する機能を備えている。
【００２４】
【発明の実施の形態】
以下、本発明の実施の形態を図面に基づいて詳細に説明する。
図１は本発明の実施の形態に係わる車両運行情報管理システムを示す構成図である。
本発明の車両運行情報管理システムＳは、定期的に一定の路線を運行し、自車を特定するバスＩＤを設定された路線バス１と、路線バス１に搭載された携帯通信端末２と、路線バス１の運行を管理するバス運行管理センタ３と、路線バス１のバス運行ルートに沿った所定位置の路側上に設置され、バス停ＩＤを設定された複数のバス停留所ＢＳ１，ＢＳ２，…ＢＳｎとを具備している。
【００２５】
本発明の車両運行情報管理システムＳは、路線バス１に搭載された携帯通信端末２とバス運行管理センタ３のパソコン（ＰＣ）３０とが通信回線４を介して各種の情報を送受信するように接続され、路線バス１の運行に必要な各種のバス運行情報をバス運行管理センタ３で管理するものである。
【００２６】
本発明の車両運行情報管理システムＳは、バス運行管理センタ３のパソコン３０が、路線バス１の運行に必要な各種のバス運行情報を設定する機能と、設定した各種のバス運行情報をデータベース（ＤＢ）３１に登録する機能と、登録した各種のバス運行情報を路線バス１に搭載した携帯通信端末２に送出する機能とを備えている。
【００２７】
本発明の車両運行情報管理システムＳは、路線バス１に搭載した携帯通信端末２が、バス運行管理センタ３のパソコン３０から送出された各種のバス運行情報を受信する機能と、受信した各種のバス運行情報をデータベース（ＤＢ）２０Ａに登録する機能と、登録した各種のバス運行情報を出力装置である表示部２０Ｂまたはスピーカ２０Ｃに出力する機能と、バス停留所ＢＳ１，ＢＳ２，…ＢＳｎを検出する機能とを備えている。
【００２８】
バス運行管理センタ３は、パソコン３０と、パソコン３０に接続されたサーバ３２と、サーバ３２に接続されたデータベース３１と、各種の情報の送受信を制御する通信制御部３３とを有している。
【００２９】
バス運行管理センタ３の通信制御部３３には、アンテナ３４が接続されている。
【００３０】
バス運行管理センタ３のサーバ３２は、データベース３１に登録された路線バス１毎に割付けられたバスＩＤ，路線バス１の運行に必要な各種のバス運行情報を管理し、路線バス１を運転する運転手からの要求に応じて各種サービスの提供を行うものである。
【００３１】
図２は本発明の実施の形態に係わる車両運行情報管理システムの路線バスに搭載した携帯通信端末を示す構成図である。
車両運行情報管理システムＳの路線バス１に搭載した携帯通信端末２は、図２に示すように、携帯通信端末２全体を制御する全体制御部２０Ｄと、各種の情報の送受信を制御する通信制御部２０Ｅと、バス停留所ＢＳ１，ＢＳ２，…ＢＳｎを検出するバス停検出部２０Ｆと、自車を特定するバスＩＤ，路線バス１の運行に必要な各種のバス運行情報，カウントした各バス停留所ＢＳ１，ＢＳ２，…ＢＳｎ毎の路線バス１の乗降客数を登録・蓄積するデータベース２０Ａと、路線バス１のエンジンの始動を検出するエンジン始動検出部２０Ｇと、路線バス１に配設された初期設定スイッチ（図示せず）の押下を検出する初期設定スイッチ検出部２０Ｈと、路線バス１の運行に必要な各種のバス運行情報の出力を制御する出力制御部２０Ｉと、路線バス１の運行に必要な各種のバス運行情報を文字情報で表示する表示部２０Ｂと、路線バス１の運行に必要な各種のバス運行情報をスピーカ２０Ｃへ音声出力する音声出力部２０Ｊと、路線バス１の運行に必要な各種のバス運行情報を音声で出力するスピーカ２０Ｃと、バス停留所ＢＳ１，ＢＳ２，…ＢＳｎにおける路線バス１の乗降客を検出する乗降客検出部２０Ｋと、所定のバス運行ルートに沿って走行する路線バス１の次のバス停留所ＢＳ１，ＢＳ２，…ＢＳｎまでの所要時間を算出する所要時間算出部２０Ｌとを有している。
【００３２】
携帯通信端末２には、通信制御部２０Ｅにアンテナ２１が接続されると共に、バス停検出部２０Ｆにアンテナ２２が接続されている。
【００３３】
携帯通信端末２の全体制御部２０Ｄには、図２に示すように、通信制御部２０Ｅ、バス停検出部２０Ｆ、データベース２０Ａ、エンジン始動検出部２０Ｇ、初期設定スイッチ検出部２０Ｈ、出力制御部２０Ｉ、乗降客検出部２０Ｋ、所要時間算出部２０Ｌがそれぞれ接続され、出力制御部２０Ｉには表示部２０Ｂ、音声出力部２０Ｊがそれぞれ接続され、音声出力部２０Ｊにはスピーカ２０Ｃが接続されている。
【００３４】
車両運行情報管理システムＳのバス停留所ＢＳ１，ＢＳ２，…ＢＳｎは、図１及び図２に示すように、バス停留所ＢＳ１，ＢＳ２，…ＢＳｎを識別するための電子タグを微弱電波で送信するアンテナ５を備えている。
【００３５】
本発明の車両運行情報管理システムＳは、路線バス１の運行に必要な各種のバス運行情報が、運行ルート名，運行時刻表，バス停留所毎の運賃表示，案内放送，バス行き先表示などの情報を有している。
【００３６】
本発明の車両運行情報管理システムＳは、バス運行管理センタ３のパソコン３０が、路線バス１毎にバスＩＤを割付ける機能と、割付けた路線バス１を特定するバスＩＤをデータベース３１に登録する機能と、路線バス１のバスＩＤを路線バス１に搭載した携帯通信端末２に送出する機能とを備えている。
【００３７】
本発明の車両運行情報管理システムＳは、バス運行管理センタ３のパソコン３０が、路線バス１に搭載した携帯通信端末２から路線バス１の運行に必要な各種のバス運行情報の送出の要求が有る場合に、路線バス１のバスＩＤを認識する機能と、認識した路線バス１のバスＩＤを基に該当する各種のバス運行情報をデータベース３１より読み出す機能と、読み出した各種のバス運行情報を要求する路線バス１に搭載した携帯通信端末２に送出する機能とを備えている。
【００３８】
本発明の車両運行情報管理システムＳは、路線バス１に搭載した携帯通信端末２が、自車を特定するバスＩＤを任意の契機にバス運行管理センタ３のパソコン３０に送出する機能を備えている。
【００３９】
本発明の車両運行情報管理システムＳは、路線バス１に搭載した携帯通信端末２が、バス運行管理センタ３のパソコン３０から送出された各種のバス運行情報を基に運行ルート名，運行時刻表，バス停留所毎の運賃表示，案内放送，バス行き先表示などの情報を表示部２０Ｂまたはスピーカ２０Ｃに出力する機能を備えている。
【００４０】
本発明の車両運行情報管理システムＳは、路線バス１に搭載した携帯通信端末２が、路線バス１のエンジンの始動を検出する機能と、路線バス１のエンジン始動時の契機に、自車を特定するバスＩＤをバス運行管理センタ３のパソコン３０に送出する機能とを備えている。
【００４１】
本発明の車両運行情報管理システムＳは、路線バス１に搭載した携帯通信端末２が、路線バス１の初期設定スイッチの押下を検出する機能と、路線バス１の初期設定スイッチの押下時の契機に、自車を特定するバスＩＤをバス運行管理センタ３のパソコン３０に送出する機能を備えている。
【００４２】
本発明の車両運行情報管理システムＳは、路線バス１に搭載した携帯通信端末２が、路線バス１がバス停留所ＢＳ１，ＢＳ２，…ＢＳｎを通過した時に、バス停留所ＢＳ１，ＢＳ２，…ＢＳｎを特定するバス停ＩＤ，自車を特定するバスＩＤ，バス停通過時刻をバス運行管理センタ３のパソコン３０に送出する機能を備えている。
【００４３】
本発明の車両運行情報管理システムＳは、路線バス１に搭載した携帯通信端末２が、バス停留所ＢＳ１，ＢＳ２，…ＢＳｎにおける路線バス１の乗降客を検出する機能と、検出した各バス停留所ＢＳ１，ＢＳ２，…ＢＳｎ毎の路線バス１の乗降客数をカウントし、カウントした各バス停留所ＢＳ１，ＢＳ２，…ＢＳｎ毎の路線バス１の乗降客数をデータベース２０Ａに蓄積する機能とを備えている。
【００４４】
本発明の車両運行情報管理システムＳは、路線バス１に搭載した携帯通信端末２が、バス停留所ＢＳ１，ＢＳ２，…ＢＳｎを検出した場合に、路線バス１の運行に必要な各種のバス運行情報のバス停留所毎の運賃表示，案内放送，バス行き先表示を変更する機能と、変更したバス停留所毎の運賃表示，案内放送，バス行き先表示を表示部２０Ｂまたはスピーカ２０Ｃに出力する機能とを備えている。
【００４５】
本発明の車両運行情報管理システムＳは、路線バス１に搭載した携帯通信端末２が、所定のバス運行ルートに沿って走行する路線バス１の次のバス停留所までの所要時間を算出する機能と、算出した路線バス１の次のバス停留所までの所要時間を表示部２０Ｂまたはスピーカ２０Ｃに出力する機能とを備えている。
【００４６】
本発明の車両運行情報管理システムＳは、複数のバス停留所ＢＳ１，ＢＳ２，…ＢＳｎが、バス停留所ＢＳ１，ＢＳ２，…ＢＳｎを識別する電子タグを微弱電波で送信する機能を備えている。
【００４７】
本発明の車両運行情報管理システムＳは、路線バス１に搭載した携帯通信端末２が、バス停留所ＢＳ１，ＢＳ２，…ＢＳｎから送信される電子タグ情報を読み取った時に、バス停留所ＢＳ１，ＢＳ２，…ＢＳｎを検出する機能を備えている。
【００４８】
図３は本発明の車両運行情報管理システムにおける路線バスのバスＩＤを基にバス運行管理センタのパソコンから路線バスに搭載した携帯通信端末に送出される各種のバス運行情報のデータ構造を示す説明図である。
路線バス１に搭載した携帯通信端末２の通信制御部２０Ｅから通信回線４を経由してバス運行管理センタ３の通信制御部３３に自車を特定するバスＩＤを送出すると、バス運行管理センタ３のパソコン３０が路線バス１のバスＩＤを基に該当する各種のバス運行情報を通信制御部３３から通信回線４を経由して路線バス１に搭載した携帯通信端末２の通信制御部２０Ｅに送出する。
【００４９】
路線バス１のバスＩＤを基にバス運行管理センタ３のパソコン３０から路線バス１に搭載した携帯通信端末２に送出される各種のバス運行情報は、図３に示すように、運行ルート名，運行時刻表，バス停留所毎の運賃表示，案内放送，バス行き先表示，乗車数集計，運賃集計（売上げ），運行ルート名とバスＩＤとの対応表，次のバス停留所までの所要時間などの情報を有している。
【００５０】
図４は本発明の車両運行情報管理システムにおけるバス運行管理センタへの路線バスの運行に必要な各種のバス運行情報の初期設定時の処理フロー図である。ステップＳ１００でスタートした処理は、バス運行管理センタ３への路線バス１の運行に必要な各種のバス運行情報の初期設定時に、まず、ステップＳ１０１でバス運行管理センタ３のパソコン３０に路線バス１の運行に必要な各種のバス運行情報を設定し、次いで、ステップＳ１０２でバス運行管理センタ３のパソコン３０が設定した各種のバス運行情報をデータベース３１に登録し、次いで、ステップＳ１０３で設定した路線バス１の運行に必要な各種のバス運行情報の変更が有るか否かを判断する。
【００５１】
ステップＳ１０３において、設定した路線バス１の運行に必要な各種のバス運行情報の変更が有る場合は、ステップＳ１０４でバス運行管理センタ３のパソコン３０に設定した路線バス１の運行に必要な各種のバス運行情報を変更して更新設定し、次いで、ステップＳ１０５でバス運行管理センタ３のパソコン３０が更新設定した各種のバス運行情報をデータベース３１に登録し、次いで、ステップＳ１０６で路線バス１毎にバスＩＤを割付けるか否かを判断する。
【００５２】
ステップＳ１０３において、設定した路線バス１の運行に必要な各種のバス運行情報の変更が無い場合は、ステップＳ１０６に移行し、ステップＳ１０６で路線バス１毎にバスＩＤを割付けるか否かを判断する。
【００５３】
ステップＳ１０６において、路線バス１毎にバスＩＤを割付ける場合は、ステップＳ１０７でバス運行管理センタ３のパソコン３０が路線バス１毎にバスＩＤを割付け、次いで、ステップＳ１０８でバス運行管理センタ３のパソコン３０が割付けた路線バス１を特定するバスＩＤをデータベース３１に登録し、次いで、ステップＳ１０９でバス運行管理センタ３のパソコン３０が路線バス１のバスＩＤを通信制御部３３から通信回線４を経由して路線バス１に搭載した携帯通信端末２の通信制御部２０Ｅに送出する。
【００５４】
図５は本発明の車両運行情報管理システムにおける路線バスの運行に必要な各種のバス運行情報のバス運行管理センタのパソコンから路線バスに搭載した携帯通信端末への配信時の処理フロー図である。
ステップＳ２００でスタートした処理は、路線バス１の運行に必要な各種のバス運行情報のバス運行管理センタ３のパソコン３０から路線バス１に搭載した携帯通信端末２への配信時に、まず、ステップＳ２０１で路線バス１に搭載した携帯通信端末２から路線バス１の運行に必要な各種のバス運行情報の送出の要求が有るか否かを判断する。
【００５５】
ステップＳ２０１において、路線バス１に搭載した携帯通信端末２から路線バス１の運行に必要な各種のバス運行情報の送出の要求が有る場合は、ステップＳ２０２でバス運行管理センタ３のパソコン３０が路線バス１を特定するバスＩＤを認識し、次いで、ステップＳ２０３でバス運行管理センタ３のパソコン３０が認識した路線バス１のバスＩＤを基に該当する各種のバス運行情報をデータベース３１より読み出し、次いで、ステップＳ２０４でバス運行管理センタ３のパソコン３０が読み出した各種のバス運行情報を通信制御部３３から通信回線４を経由して要求する路線バス１に搭載した携帯通信端末２の通信制御部２０Ｅに送出する。
【００５６】
図６は本発明の車両運行情報管理システムにおける路線バスに搭載した携帯通信端末の路線バスの運行に必要な各種のバス運行情報入手時の処理フロー図である。
ステップＳ３００でスタートした処理は、路線バス１に搭載した携帯通信端末２の路線バス１の運行に必要な各種のバス運行情報入手時に、まず、ステップＳ３０１で路線バス１のバスＩＤをバス運行管理センタ３のパソコン３０に送出する任意の契機であるか否かを判断する。
【００５７】
ステップＳ３０１において、路線バス１のバスＩＤをバス運行管理センタ３のパソコン３０に送出する任意の契機である場合は、ステップＳ３０２で路線バス１に搭載した携帯通信端末２のエンジン始動検出部２０Ｇが路線バス１のエンジンの始動を検出したか否かを判断する。
【００５８】
ステップＳ３０２において、路線バス１に搭載した携帯通信端末２のエンジン始動検出部２０Ｇが路線バス１のエンジンの始動を検出した場合は、ステップＳ３０３で路線バス１に搭載した携帯通信端末２が自車を特定するバスＩＤを通信制御部２０Ｅから通信回線４を経由してバス運行管理センタ３の通信制御部３３に送出し、次いで、ステップＳ３０４で路線バス１を運転する運転手がバス運行管理センタ３に対して路線バス１の運行に必要な各種のバス運行情報の送出を要求する。
【００５９】
次いで、ステップＳ３０５で路線バス１に搭載した携帯通信端末２がバス運行管理センタ３のパソコン３０から送出された路線バス１のバスＩＤに対応した各種のバス運行情報を受信し、次いで、ステップＳ３０６で路線バス１に搭載した携帯通信端末２が受信した各種のバス運行情報をデータベース２０Ａに登録し、次いで、ステップＳ３０７で路線バス１に搭載した携帯通信端末２が登録した各種のバス運行情報を表示部２０Ｂまたはスピーカ２０Ｃに出力し、次いで、ステップＳ３０８で各種のバス運行情報の運行ルート名，運行時刻表，バス停留所毎の運賃，バス行き先を路線バス１に搭載した携帯通信端末２の表示部２０Ｂに表示し、次いで、ステップＳ３０９で各種のバス運行情報の案内放送を路線バス１に搭載した携帯通信端末２のスピーカ２０Ｃから音声で流す。
【００６０】
ステップＳ３０２において、路線バス１に搭載した携帯通信端末２のエンジン始動検出部２０Ｇが路線バス１のエンジンの始動を検出しない場合は、ステップＳ３１０で路線バス１に搭載した携帯通信端末２の初期設定スイッチ検出部２０Ｈが路線バス１の初期設定スイッチの押下を検出したか否かを判断する。
【００６１】
ステップＳ３１０において、路線バス１に搭載した携帯通信端末２の初期設定スイッチ検出部２０Ｈが路線バス１の初期設定スイッチの押下を検出した場合は、ステップＳ３０３で路線バス１に搭載した携帯通信端末２が自車を特定するバスＩＤを通信制御部２０Ｅから通信回線４を経由してバス運行管理センタ３の通信制御部３３に送出し、次いで、ステップＳ３０４で路線バス１を運転する運転手がバス運行管理センタ３に対して路線バス１の運行に必要な各種のバス運行情報の送出を要求する。
【００６２】
図７は本発明の車両運行情報管理システムにおける路線バスの運行時の処理フロー図である。
ステップＳ４００でスタートした処理は、路線バス１の運行時に、まず、ステップＳ４０１で路線バス１に搭載した携帯通信端末２のバス停検出部２０Ｆがバス停留所を検出したか否かを判断する。
【００６３】
ステップＳ４０１において、路線バス１に搭載した携帯通信端末２のバス停検出部２０Ｆがバス停留所を検出した場合は、ステップＳ４０２で路線バス１に搭載した携帯通信端末２が路線バス１の運行に必要な各種のバス運行情報のバス停留所毎の運賃表示，案内放送，バス行き先表示を変更し、次いで、ステップＳ４０３で路線バス１に搭載した携帯通信端末２が各種のバス運行情報の変更したバス停留所毎の運賃表示，案内放送，バス行き先表示を表示部２０Ｂまたはスピーカ２０Ｃに出力し、次いで、ステップＳ４０４で各種のバス運行情報の変更したバス停留所毎の運賃とバス行き先を路線バス１に搭載した携帯通信端末２の表示部２０Ｂに表示し、次いで、ステップＳ４０５で各種のバス運行情報の変更した案内放送を路線バス１に搭載した携帯通信端末２のスピーカ２０Ｃから音声で流す。
【００６４】
次いで、ステップＳ４０６で路線バス１がバス停留所を通過した時に、路線バス１に搭載した携帯通信端末２が通過したバス停留所のバス停ＩＤ，路線バス１のバスＩＤ，バス停通過時刻を通信制御部２０Ｅから通信回線４を経由してバス運行管理センタ３の通信制御部３３に送出し、次いで、ステップＳ４０７で路線バス１に搭載した携帯通信端末２の乗降客検出部２０Ｋがバス停留所における路線バス１の乗降客を検出したか否かを判断する。
【００６５】
ステップＳ４０７において、路線バス１に搭載した携帯通信端末２の乗降客検出部２０Ｋがバス停留所における路線バス１の乗降客を検出した場合は、ステップＳ４０８で路線バス１に搭載した携帯通信端末２が検出した各バス停留所毎の路線バス１の乗降客数をカウントし、次いで、ステップＳ４０９で路線バス１に搭載した携帯通信端末２がカウントした各バス停留所毎の路線バス１の乗降客数をデータベース２０Ａに蓄積し、次いで、ステップＳ４１０で所定のバス運行ルートに沿って走行する路線バス１の通過したバス停留所から次のバス停留所までの所要時間を出力するか否かを判断する。
【００６６】
ステップＳ４１０において、所定のバス運行ルートに沿って走行する路線バス１の通過したバス停留所から次のバス停留所までの所要時間を出力する場合は、ステップＳ４１１で路線バス１に搭載した携帯通信端末２の所要時間算出部２０Ｌが所定のバス運行ルートに沿って走行する路線バス１の通過したバス停留所から次のバス停留所までの所要時間を算出し、次いで、ステップＳ４１２で路線バス１に搭載した携帯通信端末２が算出した路線バス１の通過したバス停留所から次のバス停留所までの所要時間を表示部２０Ｂに出力し、次いで、ステップＳ４１３で算出した路線バス１の通過したバス停留所から次のバス停留所までの所要時間を路線バス１に搭載した携帯通信端末２の表示部２０Ｂに文字で表示し、次いで、ステップＳ４１４で路線バス１の運行が終了したか否かを判断する。
【００６７】
ステップＳ４１４において、路線バス１の運行が終了していない場合は、ステップＳ４０１に復帰し、ステップＳ４０１で路線バス１に搭載した携帯通信端末２のバス停検出部２０Ｆがバス停留所を検出したか否かを判断する。
【００６８】
図８は本発明の車両運行情報管理システムにおける路線バスの運行に必要な変更した各種のバス運行情報のバス運行管理センタのパソコンから路線バスに搭載した携帯通信端末への配信時の処理フロー図である。
ステップＳ５００でスタートした処理は、路線バス１の運行に必要な変更した各種のバス運行情報のバス運行管理センタ３のパソコン３０から路線バス１に搭載した携帯通信端末２への配信時に、まず、ステップＳ５０１で路線バス１に搭載した携帯通信端末２から路線バス１の運行に必要な変更した各種のバス運行情報の送出の要求が有るか否かを判断する。
【００６９】
ステップＳ５０１において、路線バス１に搭載した携帯通信端末２から路線バス１の運行に必要な変更した各種のバス運行情報の送出の要求が有る場合は、ステップＳ５０２でバス運行管理センタ３のパソコン３０が路線バス１を特定するバスＩＤを認識し、次いで、ステップＳ５０３でバス運行管理センタ３のパソコン３０が認識した路線バス１のバスＩＤを基に該当する変更した各種のバス運行情報をデータベース３１より読み出し、次いで、ステップＳ５０４でバス運行管理センタ３のパソコン３０が変更した各種のバス運行情報を通信制御部３３から通信回線４を経由して要求する路線バス１に搭載した携帯通信端末２の通信制御部２０Ｅに送出する。
【００７０】
図９は本発明の車両運行情報管理システムにおける路線バスに搭載した携帯通信端末の路線バスの運行に必要な各種のバス運行情報変更時の処理フロー図である。
ステップＳ６００でスタートした処理は、路線バス１に搭載した携帯通信端末２の路線バス１の運行に必要な各種のバス運行情報変更時に、まず、ステップＳ６０１で路線バス１に搭載した携帯通信端末２が自車を特定するバスＩＤを通信制御部２０Ｅから通信回線４を経由してバス運行管理センタ３の通信制御部３３に送出し、次いで、ステップＳ６０２で路線バス１を運転する運転手がバス運行管理センタ３に対して路線バス１の運行に必要な変更した各種のバス運行情報の送出を要求する。
【００７１】
次いで、ステップＳ６０３で路線バス１に搭載した携帯通信端末２がバス運行管理センタ３のパソコン３０から送出された路線バス１のバスＩＤに対応した変更された各種のバス運行情報を受信し、次いで、ステップＳ６０４で路線バス１に搭載した携帯通信端末２が受信した変更された各種のバス運行情報をデータベース２０Ａに登録する。
【００７２】
【発明の効果】
以上に述べたように、本発明の車両運行情報管理システムによれば、管理者が路線バスの運行に必要な各種のバス運行情報をバス運行管理センタのパソコンに設定するのみで、バス運行管理センタのパソコンが設定した各種のバス運行情報をデータベースに登録するので、設定した各種のバス運行情報をバス運行管理センタのデータベースにより管理することができ、バス運行管理センタのパソコンが登録した各種のバス運行情報を路線バスに搭載した携帯通信端末に送出するので、各種のバス運行情報をバス運行管理センタのパソコンから通信回線を経由して路線バスに搭載した携帯通信端末に確実に伝送することができる。
【００７３】
また、携帯通信端末を路線バスに搭載するのみで、路線バスに搭載した携帯通信端末がバス運行管理センタのパソコンから送出された各種のバス運行情報を受信するので、路線バスの運行に必要な各種のバス運行情報をバス運行管理センタのパソコンから自動的に入手することができ、路線バスに搭載した携帯通信端末が受信した各種のバス運行情報をデータベースに登録するので、路線バスの運行に必要な各種のバス運行情報を路線バスに搭載した携帯通信端末に自動的に初期設定することができ、路線バスを運転する運転手が自ら各種のバス運行情報の初期設定を路線バスに搭載した携帯通信端末に対して行う必要が全くないので、運転手の労力を軽減することができ、各種のバス運行情報の路線バスに搭載した携帯通信端末に対する設定ミスを防止し、路線バスの運転手が携帯通信端末を自由に携帯して持ち運べるので、携帯通信端末を運行中以外の全ての路線バスに常時搭載させておく必要がなく、経費の削減を図ることができる。
【００７４】
さらに、路線バスに搭載した携帯通信端末が登録した各種のバス運行情報を出力装置に出力するので、路線バスに搭載した携帯通信端末の出力装置から出力される各種のバス運行情報の内容を路線バスの乗客に対して報知することができる。
しかも、路線バスに搭載した携帯通信端末がバス停留所を検出する機能を備えているので、路線バスがバス停留所を特定するバス停ＩＤを自動的に取得することができる。
【００７５】
本発明の車両運行情報管理システムによれば、路線バスの運行に必要な各種のバス運行情報が運行ルート名，運行時刻表，バス停留所毎の運賃表示，案内放送，バス行き先表示などの情報を有しているので、各種のバス運行情報を路線バスの運行に有効利用することができる。
【００７６】
本発明の車両運行情報管理システムによれば、バス運行管理センタのパソコンが路線バス毎にバスＩＤを割付ける機能を備えているので、バスＩＤを路線バスに対して付与することができ、バス運行管理センタのパソコンが割付けた路線バスを特定するバスＩＤをデータベースに登録するので、割付けた路線バスのバスＩＤをバス運行管理センタのデータベースにより管理することができ、バス運行管理センタのパソコンが路線バスのバスＩＤを路線バスに搭載した携帯通信端末に送出するので、路線バスのバスＩＤをバス運行管理センタのパソコンから通信回線を経由して路線バスに搭載した携帯通信端末に確実に伝送することができる。
【００７７】
本発明の車両運行情報管理システムによれば、路線バスに搭載した携帯通信端末から路線バスの運行に必要な各種のバス運行情報の送出の要求が有る場合に、バス運行管理センタのパソコンが路線バスのバスＩＤを認識する機能を備えているので、路線バスを認識したバスＩＤから特定することができ、バス運行管理センタのパソコンが認識した路線バスのバスＩＤを基に該当する各種のバス運行情報をデータベースより読み出すので、バス運行管理センタのパソコンのデータベースに登録された設定した各種の各種のバス運行情報の中から路線バスのバスＩＤに該当する各種のバス運行情報を選択して使用することができ、バス運行管理センタのパソコンが読み出した各種のバス運行情報を要求する路線バスに搭載した携帯通信端末に送出するので、読み出した各種のバス運行情報をバス運行管理センタのパソコンから通信回線を経由して路線バスに搭載した携帯通信端末に確実に伝送することができる。
【００７８】
本発明の車両運行情報管理システムによれば、路線バスに搭載した携帯通信端末が自車を特定するバスＩＤを任意の契機にバス運行管理センタのパソコンに送出するので、路線バスのバスＩＤを任意の契機に路線バスに搭載した携帯通信端末から通信回線を経由してバス運行管理センタのパソコンに自動的に通知することができる。
【００７９】
本発明の車両運行情報管理システムによれば、路線バスに搭載した携帯通信端末がバス運行管理センタのパソコンから送出された各種のバス運行情報を基に運行ルート名，運行時刻表，バス停留所毎の運賃表示，案内放送，バス行き先表示などの情報を出力装置に出力するので、路線バスに搭載した携帯通信端末の出力装置から出力される運行ルート名，運行時刻表，バス停留所毎の運賃表示，案内放送，バス行き先表示などの情報を路線バスの乗客に対して報知することができる。
【００８０】
本発明の車両運行情報管理システムによれば、路線バスに搭載した携帯通信端末が路線バスのエンジンの始動を検出する機能を備えているので、路線バスのエンジンの始動を自動的に検出することができ、路線バスのエンジン始動時の契機に、路線バスに搭載した携帯通信端末が自車を特定するバスＩＤをバス運行管理センタのパソコンに送出するので、自車を特定するバスＩＤを路線バスのエンジン始動時の契機に路線バスに搭載した携帯通信端末から通信回線を経由してバス運行管理センタのパソコンに自動的に通知することができる。
【００８１】
本発明の車両運行情報管理システムによれば、路線バスに搭載した携帯通信端末が路線バスの初期設定スイッチの押下を検出する機能を備えているので、路線バスの初期設定スイッチの押下を自動的に検出することができ、路線バスの初期設定スイッチ押下時の契機に、路線バスに搭載した携帯通信端末が路線バスに搭載した携帯通信端末が自車を特定するバスＩＤをバス運行管理センタのパソコンに送出するので、自車を特定するバスＩＤを路線バスの初期設定スイッチ押下時の契機に路線バスに搭載した携帯通信端末から通信回線を経由してバス運行管理センタのパソコンに自動的に通知することができる。
【００８２】
本発明の車両運行情報管理システムによれば、路線バスがバス停留所を通過した時に、路線バスに搭載した携帯通信端末がバス停留所を特定するバス停ＩＤ，自車を特定するバスＩＤ，バス停通過時刻をバス運行管理センタのパソコンに送出するので、バス停留所のバス停ＩＤ，路線バスのバスＩＤ，バス停通過時刻を路線バスに搭載した携帯通信端末から通信回線を経由してバス運行管理センタのパソコンに確実に伝送することができる。
【００８３】
本発明の車両運行情報管理システムによれば、路線バスに搭載した携帯通信端末がバス停留所における路線バスの乗降客を検出する機能を備えているので、バス停留所における路線バスの乗降客を自動的に検出することができ、路線バスに搭載した携帯通信端末が検出した各バス停留所毎の路線バスの乗降客数をカウントすると共に、カウントした各バス停留所毎の路線バスの乗降客数をデータベースに蓄積するので、カウントした各バス停留所毎の路線バスの乗降客数を路線バスに搭載した携帯通信端末のデータベースにより自己管理することができる。
【００８４】
本発明の車両運行情報管理システムによれば、バス停留所を検出した場合に、路線バスに搭載した携帯通信端末が路線バスの運行に必要な各種のバス運行情報のバス停留所毎の運賃表示，案内放送，バス行き先表示を変更する機能を備えているので、バス停留所毎の運賃表示，案内放送，バス行き先表示をバス停留所を検出する度に自動的に変えることができ、路線バスに搭載した携帯通信端末が変更したバス停留所毎の運賃表示，案内放送，バス行き先表示を出力装置に出力するので、路線バスに搭載した携帯通信端末の出力装置から出力される変更したバス停留所毎の運賃表示，案内放送，バス行き先表示を路線バスの乗客に対して報知することができる。
【００８５】
本発明の車両運行情報管理システムによれば、路線バスに搭載した携帯通信端末が所定のバス運行ルートに沿って走行する路線バスの通過したバス停留所から次のバス停留所までの所要時間を算出する機能を備えているので、路線バスの次のバス停留所までの所要時間を自動的に計算して求めることができ、路線バスに搭載した携帯通信端末が算出した路線バスの次のバス停留所までの所要時間を出力装置に出力するので、路線バスに搭載した携帯通信端末の出力装置から出力される算出した路線バスの次のバス停留所までの所要時間を路線バスの乗客に対して報知することができる。
【００８６】
本発明の車両運行情報管理システムによれば、複数のバス停留所がバス停留所を識別する電子タグを微弱電波で送信する機能を備えているので、バス停留所から微弱電波で送信される電子タグをバス停留所の検出に利用することができる。
【００８７】
本発明の車両運行情報管理システムによれば、バス停留所から送信される電子タグ情報を読み取った時に、路線バスに搭載した携帯通信端末がバス停留所を検出する機能を備えているので、バス停留所を読み取った電子タグ情報により識別することができる。
【図面の簡単な説明】
【図１】本発明の実施の形態に係わる車両運行情報管理システムを示す構成図。
【図２】本発明の実施の形態に係わる車両運行情報管理システムの路線バスに搭載した携帯通信端末を示す構成図。
【図３】本発明の車両運行情報管理システムにおける路線バスのバスＩＤを基にバス運行管理センタのパソコンから路線バスに搭載した携帯通信端末に送出される各種のバス運行情報のデータ構造を示す説明図。
【図４】本発明の車両運行情報管理システムにおけるバス運行管理センタへの路線バスの運行に必要な各種のバス運行情報の初期設定時の処理フローチャート図。
【図５】本発明の車両運行情報管理システムにおける路線バスの運行に必要な各種のバス運行情報のバス運行管理センタのパソコンから路線バスに搭載した携帯通信端末への配信時の処理フローチャート図。
【図６】本発明の車両運行情報管理システムにおける路線バスに搭載した携帯通信端末の路線バスの運行に必要な各種のバス運行情報入手時の処理フローチャート図。
【図７】本発明の車両運行情報管理システムにおける路線バスの運行時の処理フローチャート図。
【図８】本発明の車両運行情報管理システムにおける路線バスの運行に必要な変更した各種のバス運行情報のバス運行管理センタのパソコンから路線バスに搭載した携帯通信端末への配信時の処理フローチャート図。
【図９】本発明の車両運行情報管理システムにおける路線バスに搭載した携帯通信端末の路線バスの運行に必要な各種のバス運行情報変更時の処理フローチャート図。
【符号の説明】
１  路線バス
２  携帯通信端末
３  バス運行管理センタ
４  通信回線
５  アンテナ
２０Ａ  データベース（ＤＢ）
２０Ｂ  表示部（出力装置）
２０Ｃ  スピーカ（出力装置）
２０Ｄ  全体制御部
２０Ｅ  通信制御部
２０Ｆ  バス停検出部
２０Ｇ  エンジン始動検出部
２０Ｈ  初期設定スイッチ検出部
２０Ｉ  出力制御部
２０Ｊ  音声出力部
２０Ｋ  乗降客検出部
２０Ｌ  所要時間算出部
２１  アンテナ
２２  アンテナ
３０  パソコン（ＰＣ）
３１  データベース（ＤＢ）
３２  サーバ
３３  通信制御部
３４  アンテナ
Ｓ  車両運行情報管理システム
ＢＳ１〜ＢＳｎ  バス停留所
【図１】
2004164304.tif 000003
【図２】
2004164304.tif 000004
【図３】
2004164304.tif 000005
【図４】
2004164304.tif 000006
【図５】
2004164304.tif 000007
【図６】
2004164304.tif 000008
【図７】
2004164304.tif 000009
【図８】
2004164304.tif 000010
【図９】
2004164304.tif 000011